(57)【特許請求の範囲】
【請求項１】
使用者が着座する着座部又は着床する着床部を有するバスタブ本体と該バスタブ本体に開閉自在に連結されるカバーとを備え、着座部又は着床部とカバー内部との間に使用者の収容空間を形成し、バスタブ本体には幅方向中央部に縦方向に延びる排水溝を設け、該排水溝内の複数個所にミストを噴出するミストシャワーのノズルを突出させて設けるとともに、カバーには使用者の身体に向けてミストを噴出するミストシャワーのノズルを複数個所に設け、バスタブ本体にはナノバブルが混入された温湯シャワーを生成するハンドシャワーを備え、バスタブ本体にカバーを閉じた際の外観形態が略卵形に形成されてなり、前記着床部の傾斜角度を足部から臀部までは０〜５度程度と低くし、腰部から頭部に向けて次第に傾斜角度を５〜２０度程度と高くし、着床する前に一時的に腰掛ける広幅の一時座部を臀部付近のバスタブ本体の上面に設けたことを特徴とするミストシャワー入浴装置。
【請求項２】
バスタブ本体の少なくとも１個所に手すりを設けた請求項１に記載のミストシャワー入浴装置。
【請求項３】
温湯を供給する給湯タンク及び使用済の排水を収容する排水タンクを外部に備えた請求項１又は２に記載のミストシャワー入浴装置。
【発明の詳細な説明】
【技術分野】
【０００１】
本発明は、少ない使用湯量で浴室外での入浴ができる温湯のミストによるミストシャワー入浴装置に関する。
【背景技術】
【０００２】
従来、入浴効果を高めるのに有利な温泡入浴ブース装置が知られている。この温泡入浴ブース装置は、使用者が入る収容空間を有するブースと、該ブースに設けられ収容空間に温泡を吐出する温泡吐出部と、ブースに設けられ温泡吐出部に温泡を供給する温泡供給部とを具備するもので、温泡吐出部は収容空間に入った使用者の肩部付近に向けて温泡を吐出するようにしたものである。
ここで用いられる温泡は、泡剤を用いた大きな気泡からなる泡である。このため、温泡で入浴した後は、使用者の身体に付着した泡、収容空間内に残留する泡を洗い流す必要があり、大量の温湯を使うことになる。従って、このブース装置は、浴室に設ける必要がある。
【０００３】
しかし、浴室での入浴は、弱者にとって、急激な温度変化による血圧の乱高下等の問題（所謂ヒートショック）を引き起こすおそれもある。また、温泡に含まれる泡剤は石鹸やボディーソープであるので、入浴者にとって油分が失われすぎて、肌荒れを引き起こすこともある。
【０００４】
リビングで入浴できれば、このような急激な温度変化による血圧の乱高下等の問題も起こすことがなくなる。
ナノバブルが混入した温湯シャワーを用いれば、ナノバブルによる高い洗浄力のため石鹸などの洗浄剤を使用することなく、身体の洗浄効果を発揮できる。また、通常より少ない湯量で充分な洗浄効果が得られる。石鹸などの海面活性剤を使用する必要がないので、身体から油分が必要以上に洗い流されることがない。また、温湯によるミストシャワーを用いれば、極めて少量の湯量で高い入浴効果が得られる。
使用する湯量を少なくできれば、給水栓や給湯栓に接続することなく、タンクに必要量の水又は湯を溜めておけば使用でき、浴室外のリビングでの使用も可能となる。
【先行技術文献】
【特許文献】
【０００５】
【特許文献１】特開２００５−２９６５２２号公報
【発明の概要】
【発明が解決しようとする課題】
【０００６】
そこで、本発明は、少ない使用湯量での入浴を可能にして浴室外での使用が可能で、洗浄剤を用いることなく洗浄効果を有し、リラックス効果を発揮するミストシャワー入浴装置を提供することを目的とする。
【課題を解決するための手段】
【０００７】
上記課題を解決するために、請求項１に係るミストシャワー入浴装置は、使用者が着座する着座部又は着床する着床部を有するバスタブ本体と該バスタブ本体に開閉自在に連結されるカバーとを備え、着座部又は着床部とカバー内部との間に使用者の収容空間を形成し、バスタブ本体には幅方向中央部に縦方向に延びる排水溝を設け、該排水溝内の複数個所にミストを噴出するミストシャワーのノズルを突出させて設けるとともに、カバーには使用者の身体に向けてミストを噴出するミストシャワーのノズルを複数個所に設け、バスタブ本体にはナノバブルが混入された温湯シャワーを生成するハンドシャワーを備え、バスタブ本体にカバーを閉じた際の外観形態が略卵形に形成されてなり、前記着床部の傾斜角度を足部から臀部までは０〜５度程度と低くし、腰部から頭部に向けて次第に傾斜角度を５〜２０度程度と高くし、着床する前に一時的に腰掛ける広幅の一時座部を臀部付近のバスタブ本体の上面に設けたこと、を特徴としている。
請求項２に係るミストシャワー入浴装置は、バスタブ本体の少なくとも１個所に手すりを設けたものである。
請求項３に係るミストシャワー入浴装置は、温湯を供給する給湯タンク及び使用済の排水を収容する排水タンクを外部に備えたものである。
【発明の効果】
【０００８】
請求項１に係る発明によれば、バスタブ本体には幅方向中央部に縦方向に延びる排水溝を設け、該排水溝内の複数個所にミストを噴出するミストシャワーのノズルを突出させて設けるとともに、カバーには使用者の身体に向けてミストを噴出するミストシャワーのノズルを複数個所に設け、バスタブ本体にはナノバブルが混入された温湯シャワーを生成するハンドシャワーを備えたので、ミストシャワーに使用する温湯の量は数リットル程度と極めて少ない量で温浴効果を十分に発揮でき、またナノバブルによる高い洗浄力により少ない使用湯量で十分な洗浄効果を発揮できる。このため、数十リットル程度の給湯タンク、同容量の排水タンクを備えれば足り、浴室外での使用が可能となる。
また、外観形態を略卵形に形成することによって、内部に広い収容空間を確保でき、内部対流によって温浴効果を高め、リラックス効果も高まる。
また、着床部の傾斜角度を足部から臀部までは０〜５度程度と低くし、腰部から頭部に向けて次第に傾斜角度を５〜２０度程度と高くし、着床する前に一時的に腰掛ける広幅の一時座部を臀部付近のバスタブ本体の上面に設けたもので、使用者が着床部に着床して使用するタイプのものである。この場合、臀部付近に設けた一時座部は広幅で傾斜もわずかなので、弱者でも安全に腰掛けることができ、体を回転させて着床するのも容易となる。
請求項２に係る発明によれば、バスタブ本体の少なくとも１個所に手すりを設けたので、使用者が着座部に着座し又は着床部に着床するのが安全かつ容易となる。
請求項３に係る発明によれば、温湯を供給する給湯タンク及び使用済の排水を収容する排水タンクを外部に備えたもので、給水栓や排水口のない浴室外の場所でも容易に設置できる。
【図面の簡単な説明】
【０００９】
【図１】第１実施例のミストシャワー入浴装置においてカバーを開いた状態の斜視図である。
【図２】第１実施例のミストシャワー入浴装置の断面図である。
【図３】第１実施例のミストシャワー入浴装置におけるバスタブ本体の正面図である。
【図４】第２実施例のミストシャワー入浴装置においてカバーを開いた状態の斜視図である。
【図５】第２実施例のミストシャワー入浴装置の断面図である。
【図６】図５のＶＩ−ＶＩ断面図である。
【発明を実施するための形態】
【００１０】
以下、本発明の実施例を図面に基づいて具体的に説明する。本発明の第１実施例によるミストシャワー入浴装置１は、使用者Ｍが着座して使用するタイプのもので、健常者及び介護度が軽度までの者が使用可能で、くつろぎと介護ができる入浴装置である。使用者Ｍが着座する着座部２を有するバスタブ本体３と該バスタブ本体３に開閉自在に連結されるカバー４とを備える。着座部２とカバー４内部との間に使用者の収容空間５を形成する。
【００１１】
バスタブ本体３内はシート様に形成され、使用者Ｍが着座する着座部２、背もたれ部６、枕部７、収容空間５内への出入りの際に使用する手すりを兼用する肘掛８、足を乗せる足乗せ部９等を有し、枕７の上方には頭部を後方へ向けた際にも十分なゆとりのある空間部１０を形成してある。なお、使用者Ｍの身長に合わせて高さ調整するため、必要に応じて補助座１１を着座部２上に設置する。着座部の傾斜角度は６０〜７０度としてある。
頭部から着座部２の下方までバスタブ本体３の中央部に縦方向に排水溝１２を形成してある。該排水溝１２内にはミストシャワーのノズル１３が２個所、使用者Ｍの肩部、腰部に向けて突出して設けてある。
【００１２】
バスタブ本体３の正面側の周縁部には、対面するカバー４の周縁部に設けたラバー等からなる突条１４に嵌合する溝１５を形成してある。これにより、バスタブ本体３にカバー４を閉じた際に、収容空間５内の湯や蒸気が外に漏れないようにしてある。
足乗せ部９には、排水孔１６を形成して該排水孔１６を流下した排水が本体内部の一時排水タンク１７に貯留されるようになっている。
バスタブ本体３は、その主要部が卵を縦に半割にしたような外観を有し、下部にはバスタブ本体３を支持する脚部１８が一体的に形成されている。なお、脚部１８の四隅の下端部にはストッパー付きのキャスター１９を取付けて、移動できるようにしてある。
【００１３】
カバー４は、卵を縦に半割したような外観を有し、内部には広い空間が形成され、使用者Ｍが着座した際に広い収容空間５を確保してある。これにより、使用者Ｍはゆったりとゆとりのある気分をあじわうことができる。
カバー４の内面にはミストシャワーのノズル１３が適度な間隔を隔てて複数個所（図１では、上部に２個所、中間部に２個所、下部に１個所の計５個所）に設けてあり、使用者Ｍに万遍なくミストシャワーが噴霧されるようになっている。
カバー４は一側がヒンジ２０によりバスタブ本体３に開閉自在に連結されている。カバー４の他側外側の中央部には取っ手２１を、カバー４の他側内側の上部には使用者Ｍが内側からカバー４を開閉するための取っ手２２を設けてある。カバー４は図２に示すように二重構造に形成されており、内部に配管や配線を設置可能としてある。
【００１４】
カバー４の上端部には、制御装置を内蔵した制御ボックス２３が設けてあり、上端面が液晶画面２４となっており、この画面のボタンを操作して所望の入浴プログラムをコントロールする。制御ボックス２３には、携帯電話、スマートフォン等の携帯端末を保持できるスペース（図示せず）を設けてあり、入浴中に通信や音楽等を楽しむことができる。
制御ボックス２３の下端縁には硬軟質素材からなるカーテン２５を備えて首部の周囲を覆うようにして（図２）、蒸気が外部に漏れにくいようにしてある。
【００１５】
バスタブ本体３にカバー４を閉じた際の外観形態は略卵形をなし、その卵形が６０〜７０度傾斜した形態となっている。使用者Ｍは若干後ろ側に傾いたくつろぎ姿勢をとり、内部には広い空間５が確保され、内部対流によって温浴効果が高まり、リラックス効果も高まる。
【００１６】
ミストシャワー入浴装置１の外部には、図２に示すように、給湯タンク２６、排水タンク２７を備えてある。給湯タンク２６に水を供給すると、タンク２６内に設けたヒータにより、所定の湯温に保持するようになっている。タンク２６の容量は４０〜５０リットル程度としてある。この程度の容量であれば、浴室外の例えばリビング等でも容易に設置できる。また、排水タンク２７の容量も給湯タンク２６と同容量の４０〜５０リットル程度としてある。
給湯タンク２６から供給された湯はポンプＰ１を介して流路２８を経て各ミストシャワーのノズル１３に供給され、該ノズル１３からミストシャワーを収容空間内に噴霧する。
バスタブ本体３に備えられたハンドシャワー２９を使用する際には、切り替え弁３０によりハンドシャワー２９側の流路３１に切り替える。
【００１７】
次に、使用手順について説明する。先ず、給湯タンク２６に水を入れ、タンク２６内の湯を所望の温度に設定しておく。使用者Ｍは、カバー４の取っ手２１を引いてカバー４を開け、手すり８を持って収容空間５内に入り、着座部２に着座する。カバー４内部の取っ手２２を引いてカバー４の周縁部の突条１４をバスタブ本体３の周縁部の溝１５に嵌合させてカバー４を閉じる。そして、所望の入浴時間、洗髪時間、身体洗浄時間、休息時間等を選択し、液晶画面の表示部のボタンを押して入浴プログラムを設定する。
【００１８】
入浴タイムでは、各ミストシャワーのノズル１３から粒径が５０〜１００μｍ程度の微細な温湯のミストが噴霧される。バスタブ本体３の排水溝１２内に設置したミストシャワーのノズル１３からは背中側の肩部及び腰部に向けてミストが噴霧され、カバー４に設置した複数のミストシャワーのノズル１３からは胸部や脚部に向けてミストが噴霧される。こうして、収容空間５内は微細な温湯のミストで充満され、温浴効果が高まり、ゆったりとした気分で入浴を味わうことができる。
【００１９】
入浴後、洗髪する場合、使用者Ｍはバスタブ３内に設置してあるハンドシャワー２９を持ち、頭部を前かがみにしてハンドシャワー２９で洗髪する。又は、頭部を後方に向けて、洗髪するようにすることもできる。このために、頭部の後方には十分な空間部１０を設けてある。
また、身体を洗浄する場合、使用者Ｍはハンドシャワー２９を持ち、洗浄したい部位に向けてシャワーを吐出させて洗浄する。このとき、ナノバブルによる高い洗浄力のため、洗浄剤を用いることなく、温湯のみで充分な洗浄効果が得られる。また、使用する湯量も少なくて済む。ナノバブルは粒径が１μｍより小さいバブルのことで、ナノバブルを混入した温湯のシャワーは、高い洗浄効果、節水効果の他、温浴効果等を有する。
【００２０】
使用湯量について、ミストシャワーによる入浴の際に使用される湯量は、１ノズル当り０．０３リットル／分程度で、ノズル１３が７個所あり、１５分間の入浴とすると、
０．０３×７×１５＝３．１５リットル
２回入浴、計３０分間の入浴では、６．３リットルとなる。
洗髪や身体洗浄の際に使用される湯量は、水圧１４７ｋＰａ（１．５ｋｇｆ／ｃｍ2）、通常５リットル／分程度であるが、ナノバブルが混入された温湯によるハンドシャワー２９の洗浄では、３０％程度の節水が可能であるので、
洗髪に４分使用とすると、使用湯量は、
５リットル／分×０．７×４分＝１４．０リットル
身体洗浄を４分使用とすると、使用湯量は、
５リットル／分×０．７×４分＝１４．０リットル
洗髪と身体洗浄とを合計して２８．０リットルの使用湯量となる。
入浴（１５分の入浴を２回）と洗浄（洗髪４分と身体洗浄４分とを合わせて）の使用湯量は、合わせて３４．３リットルとなる。
【００２１】
この程度の湯量であるので、給湯タンク２６も排水タンク２７もそれぞれ４０〜５０リットル程度の容量があれば十分である。このため、給水栓や排水口がなくても設置可能である。従って、浴室外の場所での使用が容易である。例えば、リビングに設置して使用することも容易で、急激な温度変化による血圧の乱高下等の問題も回避できる。
入浴や洗浄に使用した排水は、排水溝１２を流下し足元の排水孔１６を流下して一時排水タンク１７に溜まり、排水ポンプＰ２を介して排水タンク２７に溜められる。
【００２２】
次に、第２実施例によるミストシャワー入浴装置３５は、使用者Ｍが寝た状態で使用するタイプのものである。健常者の他、歩行が可能な介護度が中程度までの弱者が使用可能で、介護とくつろぎができる入浴装置である。使用者Ｍが仰向けに寝た状態に着床する着床部３６を有するバスタブ本体３７と該バスタブ本体３７に開閉自在に連結されるカバー３８とを備える。着床部３６とカバー３８内部との間に使用者の収容空間５を形成する。
【００２３】
バスタブ本体３７内には、使用者Ｍが仰向けに寝る着床部（寝台）３６、枕部７、収容空間に出入りする際に座る広幅の一時座部３９、収容空間内への出入りの際に使用する手すり４０等を有し、枕７の上方には頭部を後方へ向けた際にも十分なゆとりのある空間部１０を形成してある。
【００２４】
着床部３６はその傾斜角度を足部から臀部までは０〜５度程度と低くし、腰部から頭部に向けて次第に傾斜角度を５〜２０度程度と高くしてある。また、着床部３６は幅方向において、本体の周縁部から幅方向の中央部に向かって緩やかに凹むように形成してあり（図６）、幅方向に滑り易く形成して、着床部３６の中央部に着床し易いようにしてある。また、縦方向（長手方向）にはすべり難く形成してあり、身長差があっても所望の着床位置を保持でき、着床部３６の傾斜によって身体が下方に滑らないようにしている。
頭部から足部の下方までバスタブ本体３７（着床部３６）の中央部に縦方向に排水溝４１を形成してある。該排水溝４１内には、ミストシャワーのノズル１３が３個所、使用者の肩部、臀部、脚部に向けて突出して設けてある。
【００２５】
バスタブ本体３７の上面側の周縁部には、カバー３８の対面する周縁部に設けたラバー等からなる突条１４に嵌合する溝１５を形成してある。これにより、バスタブ本体３７にカバー３８を閉じた際に、収容空間５内の湯や蒸気が外に漏れないようにしてある。
足部の排水溝４１の底部には、排水孔１６を形成して該排水孔１６を流下した排水が本体内部の一時排水タンク１７に貯留されるようになっている。
バスタブ本体３７は、その主要部が卵を縦に半割にしたような外観を有し、下部にはバスタブ本体３７を支持する脚部１８が一体的に形成されている。なお、脚部１８の四隅の下端部にはストッパー付きのキャスター１９を取付けて、移動できるようにしてある。
【００２６】
カバー３８は、外観が卵を縦に半割したような外観を有し、内部には広い空間が形成され、使用者Ｍが着床した際に広い収容空間５を確保してある。これにより、使用者Ｍはゆったりとゆとりのある気分をあじわうことができる。
カバー３８の内面にはミストシャワーのノズル１３が適度な間隔を隔てて複数個所（図４では上部に２個所、中間部に２個所、下部に２個所の計６個所）に設けてあり、使用者Ｍに万遍なくミストシャワーが噴霧されるようになっている。
カバー３８は一側がヒンジ２０によりバスタブ本体３７に開閉自在に連結されている。なお、ヒンジ２０はカバー３８を所望の角度に保持できるものを用いる。カバー３８の他側外側の中央部には取っ手２１を、カバー３８の他側内側の上部には使用者Ｍが内側からカバー３８を開閉するための取っ手２２を設けてある。カバー３８は図５、図６に示すように、二重構造に形成されており、内部を配管や配線可能としてある。
【００２７】
カバー３８の上端部には、制御装置を内蔵した制御ボックス２３が設けてあり、上端面が液晶画面２４となっており、この画面のボタンを操作して所望の入浴プログラムをコントロールする。制御ボックス２３には、携帯電話、スマートフォン等の携帯端末を保持できるスペース（図示せず）を設けてあり、入浴中に通信や音楽等を楽しむことができる。
制御ボックス２３の下端縁には図示しない硬軟質素材からなるカーテンを備えて首部の周囲を覆うようにして、蒸気が外部に漏れにくいようにしてある。
【００２８】
バスタブ本体３７にカバー３８を閉じた際の外観形態は略卵形をなし、その卵形が１０〜２０度程度傾斜した形態となっている。足部から臀部までは小さな傾斜とし、腰部から上は次第に傾斜を大きくしてある。これにより、上半身がやや起きた姿勢となる。内部には広い空間が確保され、内部対流によって温浴効果が高まり、リラックス効果も高まる。
【００２９】
第１実施例と同様、ミストシャワー入浴装置３５の外部には、図５に示すように、給湯タンク２６、排水タンク２７を備えてある。給湯タンク２６に水を供給すると、タンク２６内に設けたヒータにより、所定の湯温に保持するようになっている。タンク２６の容量は４０〜５０リットル程度としてある。この程度の容量であれば、浴室外の例えばリビング等でも容易に設置できる。また、排水タンク２７の容量も給湯タンク２６と同容量の４０〜５０リットル程度としてある。
給湯タンク２６から供給された湯はポンプＰ１を介して流路２８を経て各ミストシャワーのノズル１３に供給され、該ノズル１３からミストシャワーを収容空間内に噴霧する。
バスタブ本体３７に備えられたハンドシャワー２９を使用する際には、切り替え弁３０によりハンドシャワー２９側の流路３１に切り替える。
【００３０】
次に、使用手順について説明する。先ず、給湯タンク２６に水を入れタンク２６内の湯を所望の温度に設定しておく。使用者Ｍは、カバー３８の取っ手２１を引いてカバー３８を開け、一時座部３９に腰掛ける。このとき、一時座部３９は広幅で傾斜が小さく、弱者でも安定して腰掛けることができる。手すり４０を持って体を支えながら体を回転させて脚をバスタブ本体３７の長手方向に向けつつ着床部３６の中央部に腰を移動させる。次いで、仰向けに寝る。このとき、上半身はやや起きた姿勢となる（図５）。次に、カバー３８内の取っ手２２を引いてカバー３８の周縁部の突条１４をバスタブ本体３７の周縁部の溝１５に嵌合させてカバー３８を閉じる。又は、介護者がいる場合は、介護者が外部から取っ手２１を操作してカバー３８を閉じるようにする。そして、所望の入浴時間、洗髪時間、身体洗浄時間、休息時間等を選択し、液晶画面２４の表示部のボタンを押して入浴プログラムを設定する。
【００３１】
入浴タイムでは、各ミストシャワーのノズル１３から粒径が５０〜１００μｍ程度の微細な温湯のミストが噴霧される。バスタブ本体３７の排水溝４１内に設置したミストシャワーのノズル１３からは背中側の肩部、臀部及び脚部に向けてミストが噴霧され、カバー３８に設置した複数のミストシャワーのノズル１３からは胸部や脚部に向けてミストが噴霧される。こうして、収容空間５内は微細な温湯のミストで充満され、温浴効果が高まり、ゆったりとした気分で入浴を味わうことができる。
【００３２】
入浴後、洗髪する場合、使用者Ｍ又は介護者がバスタブ３７内に設置してあるハンドシャワー２９を持ち、頭部を後方に向けて、洗髪するようにする。このために、頭部の後方には十分な空間部１０を設けてある。
また、身体を洗浄する場合、使用者Ｍはハンドシャワー２９を持ち、洗浄したい部位に向けてシャワーを吐出させて洗浄する。このとき、ナノバブルによる高い洗浄力のため、洗浄剤を用いることなく、温湯のみで十分な洗浄効果が得られる。また、使用する湯量も少なくて済む。ナノバブルは粒径が１μｍより小さいバブルのことで、ナノバブルを混入した温湯のシャワーは、高い洗浄効果、節水効果の他、温浴効果等を有する。
【００３３】
使用湯量について、ミストシャワーによる入浴の際に使用される湯量は、１ノズル当り０．０３リットル／分程度で、ノズル１３が９個所あり、１５分間の入浴とすると、
０．０３×９×１５＝４．０５リットル
２回入浴、計３０分間の入浴では、８．１リットルとなる。
洗髪や身体洗浄の際に使用される湯量は、第１実施例と同様、水圧１４７ｋＰａ（１．５ｋｇｆ／ｃｍ2）、通常５リットル／分程度であるが、ナノバブルが混入された温湯によるハンドシャワー２９の洗浄では、３０％程度の節水が可能であるので、
洗髪に４分使用とすると、使用湯量は、
５リットル／分×０．７×４分＝１４．０リットル
身体洗浄を４分使用とすると、使用湯量は、
５リットル／分×０．７×４分＝１４．０リットル
洗髪と身体洗浄とを合計して２８．０リットルの使用量となる。
入浴（１５分の入浴を２回）と洗浄（洗髪４分と身体洗浄４分とを合わせて）の使用湯量は、合わせて３６．１リットルとなる。
【００３４】
この程度の湯量であるので、給湯タンク２６も排水タンク２７もそれぞれ４０〜５０リットル程度の容量があれば充分である。このため、給水栓や排水口がなくても設置可能である。従って、浴室外の場所での使用が容易である。例えば、リビングに設置して使用することも容易で、急激な温度変化による血圧の乱高下等の問題も回避できる。
入浴や洗浄に使用した排水は、排水溝４１を流下し足元の排水孔１６を流下して一時排水タンク１７に溜まり、排水ポンプＰ２を介して排水タンク２７に溜められる。
【００３５】
第１実施例によるミストシャワー入浴装置１の概略寸法は、長さが１４００〜１５００ｍｍ，幅が９００〜１０００ｍｍ，高さが１６００〜１７００ｍｍ程度である。
また、第２実施例によるミストシャワー入浴装置３５の概略寸法は、長さが１７００〜２０００ｍｍ，幅が８００〜９００ｍｍ，高さが１０００〜１１００ｍｍ程度である。
【００３６】
上記したミストシャワーのノズル１３の設置位置や設置数は、一例であって適宜変更可能である。また、上記した数値（使用湯量、寸法等）は、目安を示す一例であって、限定されるものではない。
【００３７】
その他、制御ボックス部に乾燥した温風を収容空間内に送風する噴出口を設け（図示せず）、乾燥温風が収容空間内を対流しながら身体を乾燥し、排水溝を通過して首の後ろから外へ抜けるようにしてもよい。
【符号の説明】
【００３８】
１  ミストシャワー入浴装置
２  着床部
３  バスタブ本体
４  カバー
５  収容空間
６  背もたれ部
７  枕部
８  肘掛（手すり）
９  足乗せ部
１０  空間部
１１  補助座
１２  排水溝
１３  ノズル
１４  突条
１５  溝
１６  排水孔
１７  排水タンク
１８  脚部
１９  キャスター
２０  ヒンジ
２１，２２  取っ手
２３  制御ボックス
２４  液晶画面
２５  カーテン
２６  給湯タンク
２７  排水タンク
２８  流路
２９  ハンドシャワー
３０  切り替え弁
３１  流路
３５  ミストシャワー入浴装置
３６  着床部
３７  バスタブ本体
３８  カバー
３９  一時座部
４０  手すり
４１  排水溝
Ｍ  使用者
【図１】
0006358714.tif 000002
【図２】
0006358714.tif 000003
【図３】
0006358714.tif 000004
【図４】
0006358714.tif 000005
【図５】
0006358714.tif 000006
【図６】
0006358714.tif 000007